(57)【要約】【課題】診察撮影装置で被写体を撮影する際に用いられる被写体固定器具において、携帯性を備えた被写体固定器具を提供すること。【解決手段】診察撮影装置で被写体を撮影する際に用いられる被写体固定器具１であって、基部２と、内部に空気を封入可能なエアバッグ部３であって、エアバッグ部３の両端部が基部２に接続されることでエアバッグ部３と基部２との間に被写体を挿入可能な挿入部８を形成し、挿入部８に被写体を挿入した状態でエアバッグ部３と基部２との間に被写体を固定するエアバッグ部３と、エアバッグ部３に直接的に又は間接的に接続され、エアバッグ部３の内部に空気を供給可能な空気供給部４と、エアバッグ部３の内部の空気の封入状態を維持しながら、エアバッグ部３に対して空気供給部４を着脱可能な着脱部１１と、を備える。【選択図】図８
2017124041.tif 000002
【特許請求の範囲】
【請求項１】
診察撮影装置で被写体を撮影する際に用いられる被写体固定器具であって、
Ｘ線透過性の材料及び／又は磁場を乱すことがない材料により形成される基部と、
Ｘ線透過性の材料及び／又は磁場を乱すことがない材料により形成され、内部に空気を封入可能なエアバッグ部であって、該エアバッグ部の両端部が前記基部に接続されることで該エアバッグ部と前記基部との間に被写体を挿入可能な挿入部を形成し、該挿入部に被写体を挿入した状態で該エアバッグ部と前記基部との間に被写体を固定するエアバッグ部と、
前記エアバッグ部に直接的に又は間接的に接続され、前記エアバッグ部の内部に空気を供給可能な空気供給部と、
前記エアバッグ部の内部の空気の封入状態を維持しながら、前記エアバッグ部に対して前記空気供給部を着脱可能な着脱部と、を備える被写体固定器具。
【請求項２】
前記挿入部への被写体の挿入方向に直交する幅方向において、前記挿入部における前記基部の長さに対するエアバッグ部の長さの比率は、１．１〜２．５である請求項１に記載の被写体固定器具。
【請求項３】
前記エアバッグ部の内部の空気圧は、２〜２５ｋＰａである請求項１又は２に記載の被写体固定器具。
【発明の詳細な説明】
【技術分野】
【０００１】
本発明は、診察撮影装置で被写体を撮影する際に用いられる被写体固定器具に関する。
【背景技術】
【０００２】
従来、Ｘ線を用いて診察撮影装置で被写体を撮影する際に用いられる被写体固定器具として、Ｘ線透過性の材料で形成されＶ溝が設けられた載置台と、載置台のＶ溝に小動物を載置した状態で小動物を覆うと共に空気袋が取り付けられる拘束帯と、を備え、空気袋の内部に空気を供給して空気袋を膨張させて、小動物を拘束するものが知られている（例えば、特許文献１参照）。特許文献１に記載の被写体固定器具では、撮影室において、被写体固定器具に被写体を固定して、Ｘ線を用いて診察撮影装置で撮影が行われる。
【先行技術文献】
【特許文献】
【０００３】
【特許文献１】特開２００１−２９９７８６号公報
【発明の概要】
【発明が解決しようとする課題】
【０００４】
ところで、Ｘ線を用いたＣＴ（Ｃｏｍｐｕｔｅｄ  Ｔｏｍｏｇｒａｐｈｙ）撮影を行う際や、ＭＲＩ（ｍａｇｎｅｔｉｃ  ｒｅｓｏｎａｎｃｅ  ｉｍａｇｉｎｇ）撮影を行う際において、撮影室でない場所で被写体を被写体固定器具に固定した後に、被写体を被写体固定器具に固定した状態で撮影室に移動できるような携帯性を備えていれば、便利である。
【０００５】
本発明は上記に鑑みてなされたものであり、診察撮影装置で被写体を撮影する際に用いられる被写体固定器具において、携帯性を備えた被写体固定器具を提供することを目的とする。
【課題を解決するための手段】
【０００６】
本発明は、診察撮影装置で被写体を撮影する際に用いられる被写体固定器具であって、Ｘ線透過性の材料及び／又は磁場を乱すことがない材料により形成される基部と、Ｘ線透過性の材料及び／又は磁場を乱すことがない材料により形成され、内部に空気を封入可能なエアバッグ部であって、該エアバッグ部の両端部が前記基部に接続されることで該エアバッグ部と前記基部との間に被写体を挿入可能な挿入部を形成し、該挿入部に被写体を挿入した状態で該エアバッグ部と前記基部との間に被写体を固定するエアバッグ部と、前記エアバッグ部に直接的に又は間接的に接続され、前記エアバッグ部の内部に空気を供給可能な空気供給部と、前記エアバッグ部の内部の空気の封入状態を維持しながら、前記エアバッグ部に対して前記空気供給部を着脱可能な着脱部と、を備える被写体固定器具に関する。
【０００７】
また、前記挿入部への被写体の挿入方向に直交する幅方向において、前記挿入部における前記基部の長さに対するエアバッグ部の長さの比率は、１．１〜２．５であることが好ましい。
【０００８】
また、前記エアバッグ部の内部の空気圧は、２〜２５ｋＰａであることが好ましい。
【発明の効果】
【０００９】
本発明によれば、診察撮影装置で被写体を撮影する際に用いられる被写体固定器具において、携帯性を備えた被写体固定器具を提供することができる。
【図面の簡単な説明】
【００１０】
【図１】本発明の第１実施形態に係る被写体固定器具１の平面図である。
【図２】本発明の第１実施形態に係る被写体固定器具１の斜視図である。
【図３】本発明の第１実施形態に係る被写体固定器具１において、主に、基部２及びエアバッグ部３の断面を示す断面図である。
【図４】被写体固定器具１において、挿入部８における基部２の長さＬ１に対するエアバッグ部３の長さＬ２の比率を説明するための断面図である。
【図５】被写体固定器具１の使用状態を示す図であって、エアバッグ部３に空気を入れない状態で、挿入部８に手を挿入した状態を示す斜視図である。
【図６】被写体固定器具１の使用状態を示す図であって、挿入部８に手を挿入した状態で、電動式空気ポンプ装置４を用いてエアバッグ部３の内部に空気を供給した状態を示す斜視図である。
【図７】被写体固定器具１の使用状態を示す図であって、挿入部８に手を挿入した状態で、電動式空気ポンプ装置４を用いてエアバッグ部３の内部に空気を供給した状態を示す断面図である。
【図８】被写体固定器具１の使用状態を示す図であって、基部２とエアバッグ部３とで手を固定した状態で、着脱部１１において、固定部１０から電動式空気ポンプ装置４を取り外した状態を示す斜視図である。
【図９】本発明の第２実施形態に係る被写体固定器具１Ａにおいて、主に、基部２及びエアバッグ部３の断面を示す断面図である。
【発明を実施するための形態】
【００１１】
以下、本発明の第１実施形態について、図面を参照して詳しく説明する。図１は、本発明の第１実施形態に係る被写体固定器具１の平面図である。図２は、本発明の第１実施形態に係る被写体固定器具１の斜視図である。図３は、本発明の第１実施形態に係る被写体固定器具１において、主に、基部２及びエアバッグ部３の断面を示す断面図である。図４は、被写体固定器具１において、挿入部８における基部２の長さＬ１に対するエアバッグ部３の長さＬ２の比率を説明するための断面図である。
なお、本明細書において、「挿入方向Ｙ」とは、被写体を固定部１０の挿入部８に挿入する方向を意味し、「幅方向Ｘ」とは、基部２の面に沿う方向における挿入方向Ｙに直交する方向を意味する。
【００１２】
本実施形態の被写体固定器具１は、診察撮影装置で被写体を撮影する際に用いられる。診察撮影装置としては、例えば、Ｘ線を用いたＣＴ（Ｃｏｍｐｕｔｅｄ  Ｔｏｍｏｇｒａｐｈｙ）撮影を行うＣＴ装置や、ＭＲＩ（ｍａｇｎｅｔｉｃ  ｒｅｓｏｎａｎｃｅ  ｉｍａｇｉｎｇ）撮影を行うＭＲＩ装置などが挙げられる。
【００１３】
図１〜図３に示すように、被写体固定器具１は、固定部１０と、空気供給部としての電動式空気ポンプ装置４と、接続チューブ５と、接続チューブ５の途中に設けられる着脱部１１と、を備える。
【００１４】
固定部１０は、被写体を固定する。固定部１０に固定される被写体としては、例えば、人の手や足や胴体や、小動物（犬、猫などのペット）などが挙げられる。
固定部１０（後述する基部２及びエアバッグ部３）は、携帯性を高めるため、コンパクトな大きさに形成される。特に、子供であっても、携帯できるような大きさ及び重さで形成される。
【００１５】
固定部１０は、図１〜図３に示すように、基部２と、エアバッグ部３と、を有する。
基部２及びエアバッグ部３は、Ｘ線を用いたＣＴ装置で使用される場合には、Ｘ線透過性の材料で形成される。また、ＭＲＩ装置で使用される場合には、磁場を乱すことがない材料により形成される。なお、基部２及びエアバッグ部３の材料は、Ｘ線を用いたＣＴ装置で使用される場合に用いられるＸ線透過性の材料の性質と、ＭＲＩ装置で使用される場合に用いられる磁場を乱すことがない材料の性質との両方の性質を備えていてもよいし、いずれか一方のみの性質を備えていてもよい。
【００１６】
基部２は、図３に示すように、基板２１と、基板２１を収容する収容袋体２２と、を有する。
基板２１は、方形状の板材により形成される。基板２１は、Ｘ線を用いたＣＴ装置で使用される場合には、Ｘ線透過性の材料で形成される。Ｘ線を用いたＣＴ装置で使用される場合における基板２１の材料としては、例えば、カーボン繊維や、プラスチックなどの樹脂材料や、木製の薄い板などが挙げられる。また、基板２１は、ＭＲＩ装置で使用される場合には、ＭＲＩ装置における磁場を乱すことのない材料で形成される。ＭＲＩ装置で使用される場合における基板２１の材料としては、例えば、カーボン繊維や、プラスチックなどの樹脂材料や、木製の薄い板などが挙げられる。
【００１７】
収容袋体２２は、基板２１を収容可能な袋状に形成される。収容袋体２２は、基板２１よりも僅かに大きい又は同程度の袋状に形成される。収容袋体２２は、内部に基板２１が収容された状態で閉止されている。収容袋体２２は、Ｘ線を用いたＣＴ装置で使用される場合には、Ｘ線透過性の材料で形成される。また、ＭＲＩ装置で使用される場合には、磁場を乱すことがない材料により形成される。収容袋体２２は、本実施形態においては、透明の樹脂材料により形成されている。
【００１８】
エアバッグ部３は、エアバッグ本体３１と、空気導入口３２と、を有する。
エアバッグ本体３１は、基部２の一方（上方）の面を覆うように、基部２の一方（上方）の面側に配置される。エアバッグ本体３１は、袋状に形成され、内部に空気を封入可能である。本実施形態においては、エアバッグ本体３１は、基部２における挿入方向Ｙの長さとほぼ同じ長さで、幅方向Ｘに長い帯状に形成される。
【００１９】
エアバッグ本体３１の幅方向Ｘの両端部及び基部２の幅方向Ｘの両端部は、両端部同士が接続されている。本実施形態においては、エアバッグ本体３１の幅方向の両端部及び基部２の幅方向Ｘの両端部は、挿入方向Ｙに沿って溶着により接合されている。エアバッグ部３は、Ｘ線を用いたＣＴ装置で使用される場合には、Ｘ線透過性の材料で形成される。また、ＭＲＩ装置で使用される場合には、磁場を乱すことがない材料により形成される。エアバッグ部３は、本実施形態においては、透明の樹脂材料により形成されている。
【００２０】
エアバッグ本体３１の両端部が基部２の両端部に接続されることで、エアバッグ部３と基部２との間には、被写体を挿入可能な挿入部８が形成される。本実施形態においては、挿入部８は、挿入方向Ｙに貫通する。挿入部８に挿入された被写体は、後述する電動式空気ポンプ装置４によりエアバッグ本体３１の内部に空気が供給されることで、エアバッグ本体３１が被写体の形状に沿って膨らんで、エアバッグ本体３１に密着する。これにより、エアバッグ部３は、挿入部８に被写体を挿入した状態でエアバッグ部３と基部２との間に被写体を固定する。
【００２１】
特に、子供や小動物などの場合には、じっとしていないで動いていることが多い。そのため、本発明に係る被写体固定器具１は、じっとしていないで動くことが多い被写体を固定する場合に、Ｘ線を用いたＣＴ装置やＭＲＩ装置を用いた撮影時において、基部２とエアバッグ本体３１との間に良好に固定することができる。そのため、本発明に係る被写体固定器具１は、子供の手や足を固定するために使用されることが特に好ましい。
【００２２】
また、図４に示すように、挿入部８への被写体の挿入方向Ｙに直交する幅方向Ｘにおいて、挿入部８における基部２の長さＬ１（上面の長さ）に対するエアバッグ部３の長さＬ２（内周の長さ）の比率（Ｌ２／Ｌ１）は、１．１〜２．５であることが好ましい。この比率（Ｌ２／Ｌ１）は、適宜設定される。例えば、人の手などの断面積が比較的小さな被写体を固定する場合には、比率（Ｌ２／Ｌ１）は小さく設定される。また、例えば、犬や猫などの胴体などの断面積が比較的大きな被写体を固定する場合には、比率（Ｌ２／Ｌ１）は大きく設定される。また、比率（Ｌ２／Ｌ１）を大きく設定することで、例えば、人や小動物の体を横向きにして固定するも可能となる。なお、被写体が挿入部８に挿入された状態において、エアバッグ本体３１の内部に供給する空気の量が多くなり過ぎないように、被写体とエアバッグ本体３１との隙間は大きくなり過ぎない比率（Ｌ２／Ｌ１）に設定することが好ましい。
【００２３】
空気導入口３２は、図１〜図３に示すように、エアバッグ本体３１における挿入方向Ｙの一端側において外部に延出して設けられる。空気導入口３２には、接続チューブ５の一端部が接続されている。
【００２４】
接続チューブ５は、長尺状の筒状に形成されており、内部に空気が流通される。接続チューブ５は、エアバッグ部３と電動式空気ポンプ装置４とを接続する。接続チューブ５の内部には、電動式空気ポンプ装置４からの空気がエアバッグ部３に向けて流通される。
接続チューブ５には、エアバッグ部３側から電動式空気ポンプ装置４側に向かって順に、エアバッグ部３、着脱部１１（開閉バルブ７、着脱部本体６）、電動式空気ポンプ装置４が設けられている。
【００２５】
電動式空気ポンプ装置４は、接続チューブ５を介して、エアバッグ部３に接続されている。電動式空気ポンプ装置４は、外部電源（電池や商用電源）による電動で動作され、エアバッグ部３の内部に空気を供給可能である。電動式空気ポンプ装置４は、ポンプ装置本体４１と、電源スイッチ部４２と、圧力設定ツマミ部４３と、圧力値表示部４４と、を備える。
【００２６】
ポンプ装置本体４１は、外形が箱形の形状に形成される。ポンプ装置本体４１の内部には、空気ポンプ（図示せず）や、圧力設定機能を有する制御部を備えた制御基板（図示せず）などが配置されている。
【００２７】
空気ポンプ（図示せず）は、電動で動作され、接続チューブ５を介して、エアバッグ部３の内部に空気を供給する。
圧力設定機能は、空気ポンプ（図示せず）によりエアバッグ部３の内部に供給される空気の圧力値を、圧力設定ツマミ部４３（後述）の回転操作により設定された圧力値に設定する機能を有する。圧力設定機能は、空気ポンプ（図示せず）によりエアバッグ部３の内部に供給される空気の圧力値が、圧力設定ツマミ部４３で設定された所定の設定圧力値に到達すると、空気ポンプの動作を停止する。
【００２８】
電源スイッチ部４２は、ポンプ装置本体４１の前面に設けられ、電動式空気ポンプ装置４の電源をオン又はオフにするためのスイッチである。
圧力設定ツマミ部４３は、ポンプ装置本体４１の前面に設けられ、使用者により回転操作されることで、ポンプ装置本体４１の内部に設けられた空気ポンプ（図示せず）から流出される空気の流速を調整して、エアバッグ部３の内部の圧力値を設定可能なツマミである。
圧力値表示部４４は、ポンプ装置本体４１の前面に設けられ、エアバッグ部３の内部の現在の空気の圧力値を表示する。
【００２９】
エアバッグ部３の内部の空気圧は、挿入部８に挿入された被写体がエアバッグ部３に密着して安定して固定される程度の圧力であることが好ましい。エアバッグ部３の内部の空気圧は、例えば、２〜２５ｋＰａに設定することが好ましく、より好ましくは、２．５〜６ｋＰａに設定することが好ましい。
【００３０】
エアバッグ部３の内部の空気圧を２〜２５ｋＰａとした理由は、次の通りである。エアバッグ部３の内部の空気圧を２ｋＰａ以上とした理由は、挿入部８に挿入された被写体がエアバッグ部３に密着して安定して固定されるためである。また、エアバッグ部３の内部の空気圧を２５ｋＰａ以下とした理由は、エアバッグ部３の内部の空気圧が２５ｋＰａよりも高い場合には、エアバッグ部３の内部の空気圧が過度に高くなってエアバッグ部３が破壊される可能性があるためである。
また、エアバッグ部３の内部の空気圧が２．５〜６ｋＰａの場合には、よりエアバッグ部３が被写体に密着し易いため、より被写体を安定して固定できる。
【００３１】
着脱部１１は、エアバッグ部３の内部の空気の封入状態を維持しながら、エアバッグ部３に対して電動式空気ポンプ装置４を着脱可能である。着脱部１１は、着脱部本体６と、開閉バルブ７と、を備える。
【００３２】
着脱部本体６は、接続チューブ５の途中に設けられる。着脱部本体６は、第１ジョイント６１と、第２ジョイント６２と、を有する。第１ジョイント６１及び第２ジョイント６２は、互いが着脱可能に構成される。着脱部本体６において、第１ジョイント６１及び第２ジョイント６２を着脱することで、固定部１０に電動式空気ポンプ装置４を取り付けることや、固定部１０から電動式空気ポンプ装置４を取り外すことができる。これにより、電動式空気ポンプ装置４は、着脱部本体６において、エアバッグ部３に対して着脱可能に構成される。
【００３３】
開閉バルブ７は、接続チューブ５における固定部１０と着脱部本体６との間に設けられる。開閉バルブ７は、接続チューブ５を開閉可能に構成される。開閉バルブ７が開状態の場合には、接続チューブ５には、空気が流通可能である。開閉バルブ７が閉状態の場合には、接続チューブ５には、空気が流通不能である。
【００３４】
次に、被写体固定器具１の使用方法について、図面を参照しながら説明する。本実施形態では、例えば、人の手を被写体とした場合について説明する。
図５は、被写体固定器具１の使用状態を示す図であって、エアバッグ部３に空気を入れない状態で、挿入部８に手を挿入した状態を示す斜視図である。図６は、被写体固定器具１の使用状態を示す図であって、挿入部８に手を挿入した状態で、電動式空気ポンプ装置４を用いてエアバッグ部３の内部に空気を供給した状態を示す斜視図である。図７は、被写体固定器具１の使用状態を示す図であって、挿入部８に手を挿入した状態で、電動式空気ポンプ装置４を用いてエアバッグ部３の内部に空気を供給した状態を示す断面図である。図８は、被写体固定器具１の使用状態を示す図であって、基部２とエアバッグ部３とで手を固定した状態で、着脱部１１において、固定部１０から電動式空気ポンプ装置４を取り外した状態を示す斜視図である。
【００３５】
まず、固定部１０に被写体を固定する前の準備として、被写体固定器具１において、開閉バルブ７を閉状態に操作した状態で、固定部１０を、着脱部１１を介して、電動式空気ポンプ装置４に接続する。そして、電動式空気ポンプ装置４の圧力設定ツマミ部４３を圧力値がゼロの位置に位置させた状態で、電動式空気ポンプ装置４の電源スイッチ部４２を操作することで電動式空気ポンプ装置４の電源をオンにする。その後、開閉バルブ７を閉状態から開状態に操作する。これにより準備が完了する。
【００３６】
次に、図５に示すように、、被写体としての人の手を、基部２とエアバッグ部３との間の挿入部８に挿入する。この状態で、電動式空気ポンプ装置４を用いて、エアバッグ部３の内部に空気を供給する。具体的には、電動式空気ポンプ装置４の圧力設定ツマミ部４３を回転することで、エアバッグ部３に供給する空気の圧力値を所定の圧力値に設定する。例えば、エアバッグ部３の内部の空気圧を、例えば、２．５〜６ｋＰａに設定する。
【００３７】
これにより、エアバッグ部３は、人の手の形状に沿って膨らんでいく。そして、挿入部８に挿入された人の手は、エアバッグ部３と基部２との間に挟まれて、図６及び図７に示すように、エアバッグ部３に密着していく。
【００３８】
電動式空気ポンプ装置４により供給された空気によりエアバッグ部３の内部の空気圧が、圧力設定ツマミ部４３で設定した所定の圧力値に達すると、それ以上の空気圧にならないように、電動式空気ポンプ装置４の制御部（図示せず）の圧力設定機能により空気ポンプ（図示せず）からの空気の供給が停止する。この状態においては、エアバッグ部３の内部の空気圧が調整された状態で、エアバッグ部３の内部の空気の封入状態が維持される。このため、挿入部８に挿入された人の手は、図６及び図７に示すように、エアバッグ部３に密着されて、固定部１０に安定して固定される。このように、凹凸を有する立体物である手を、エアバッグ部３に密着させて、安定して固定できる。
【００３９】
次に、図８に示すように、固定部１０に人の手を固定した状態で、開閉バルブ７を開状態から閉状態に操作する。これにより、接続チューブ５の途中において、開閉バルブ７で閉止されているため、エアバッグ部３の内部の空気は、エアバッグ部３の外部に漏れ出すことが抑制され、エアバッグ部３の内部の空気の封入状態が維持される。その後、電動式空気ポンプ装置４によるエアバッグ部３への空気の供給が完了したため、電動式空気ポンプ装置４の圧力設定ツマミ部４３を圧力値がゼロの位置になるように操作する。また、電動式空気ポンプ装置４の電源スイッチ部４２を操作することで、電動式空気ポンプ装置４の電源をオフにする。
【００４０】
続けて、図８に示すように、固定部１０に人の手を固定した状態で、着脱部本体６において、固定部１０から電動式空気ポンプ装置４を取り外す。これにより、固定部１０に人の手を固定した状態で、電動式空気ポンプ装置４を固定部１０から取り外して、例えば、撮影室でない場所で被写体固定器具１に固定して、撮影室に移動できる。このように、被写体固定器具１は、携帯性を備え、取り扱いが容易である。
【００４１】
その後、被写体固定器具１に被写体を固定した状態で、撮影室に移動して、撮影室で、診察撮影装置で被写体の撮影を行う。診察撮影装置とは、例えば、Ｘ線を用いたＣＴ（Ｃｏｍｐｕｔｅｄ  Ｔｏｍｏｇｒａｐｈｙ）撮影を行うＣＴ装置や、ＭＲＩ（ｍａｇｎｅｔｉｃ  ｒｅｓｏｎａｎｃｅ  ｉｍａｇｉｎｇ）撮影を行うＭＲＩ装置などが挙げられる。
診察撮影装置での被写体の撮影後に、開閉バルブ７を閉状態から開状態に操作することで、エアバッグ部３の内部から空気を抜く。その後、基部２とエアバッグ部３との間の挿入部８に挿入した人の手を抜く。
以上のように、被写体としての人の手を固定部１０に安定して固定した状態で、被写体の撮影を行うことができる。
【００４２】
本実施形態によれば、以下の効果が奏される。
本実施形態では、Ｘ線透過性の材料及び／又は磁場を乱すことがない材料により形成される基部２と、Ｘ線透過性の材料及び／又は磁場を乱すことがない材料により形成され、内部に空気を封入可能なエアバッグ部３であって、エアバッグ部３の両端部が基部２に接続されることでエアバッグ部３と基部２との間に被写体を挿入可能な挿入部８を形成し、挿入部８に被写体を挿入した状態でエアバッグ部３と基部２との間に被写体を固定するエアバッグ部３と、エアバッグ部３に直接的に又は間接的に接続され、エアバッグ部３の内部に空気を供給可能な電動式空気ポンプ装置４と、エアバッグ部３の内部の空気の封入状態を維持しながら、エアバッグ部３に対して電動式空気ポンプ装置４を着脱可能な着脱部１１と、を備える。
【００４３】
そのため、本発明に係る被写体固定器具１は、着脱部１１によりエアバッグ部３から電動式空気ポンプ装置４を取り外した状態で移動できるため、携帯性を備える。例えば、撮影室でない場所で被写体を被写体固定器具１に固定して、着脱部１１において電動式空気ポンプ装置４を取り外して、被写体を被写体固定器具１に固定した状態で、撮影室に移動できる。従って、被写体固定器具１は、携帯性を備え、取り扱いが容易である。
【００４４】
特に、じっとしていないで動くことが多い子供（子供の手や足）や小動物の場合には、基部２とエアバッグ本体３１との間の挿入部８において安定して被写体を固定することができるため、本発明は特に効果が大きい。そのため、子供用として使用されることが特に好ましい。
【００４５】
また、本発明は、基部２及びエアバッグ部３は、コンパクトに形成される。そのため、子供の手や足をエアバッグ部３で固定した状態で、容易に、携帯して移動できる。このため、コンパクトに形成して、より携帯性を高めることで、子供でも容易に携帯できるため、子供用として使用される意義は大きい。
【００４６】
また、本実施形態では、挿入部８への被写体の挿入方向Ｙに直交する幅方向Ｘにおいて、挿入部８における基部２の長さＬ１に対するエアバッグ部３の長さＬ２の比率（Ｌ２／Ｌ１）は、１．１〜２．５である。これにより、挿入部８に被写体を容易に挿入できる。また、挿入部８における基部２の長さＬ１に対するエアバッグ部３の長さＬ２の比率（Ｌ２／Ｌ１）を適宜設定することで、被写体の断面積に合わせて挿入部８の開口面積を設定できるため、被写体を挿入部８に挿入し易くなる。また、エアバッグ部３に供給する空気の量を適度に供給するように設定できるため、被写体を容易に固定することができる。なお、断面積が大きいものを被写体とする場合には、挿入部８における基部２の長さＬ１に対するエアバッグ部３の長さＬ２の比率（Ｌ２／Ｌ１）を大きく設定することが好ましい。
【００４７】
また、エアバッグ部３の内部の空気圧は、２〜２５ｋＰａである。これにより、エアバッグ部３が被写体の形状に沿って密着するように膨らむため、被写体をエアバッグ部３により安定して固定することできる。このように、被写体の形状に応じてエアバッグ部３が膨らんで、被写体を安定して固定できる。
【００４８】
次に、本発明の第２実施形態に係る被写体固定器具１Ａについて説明する。図９は、本発明の第２実施形態に係る被写体固定器具１Ａにおいて、主に、基部２及びエアバッグ部３の断面を示す断面図である。第２実施形態に係る被写体固定器具１Ａは、第１実施形態に係る被写体固定器具１と比べて、エアバッグ本体３１の幅方向Ｘの一端部が、基部２の幅方向Ｘの一端部に対して着脱可能に接続されている点について主に異なる。第２実施形態の説明にあたって、第１実施形態の構成と同一の構成については同一符号を付し、その説明を省略もしくは簡略化する。
【００４９】
図９に示すように、第２実施形態の被写体固定器具１Ａは、エアバッグ本体３１の幅方向Ｘの一端部を、基部２の幅方向Ｘの一端部に対して着脱可能に接続する着脱接続部９を備える。
着脱接続部９は、基部２の幅方向Ｘの一端部に固定される第１面ファスナー９１と、エアバッグ本体３１の幅方向Ｘの一端部に固定される第２面ファスナー９２と、を有する。第１面ファスナー９１及び第２面ファスナー９２は、着脱可能に構成される。
これにより、固定部１０の幅方向Ｘの一端部において、基部２に固定される第１面ファスナー９１から、エアバッグ本体３１に固定される第２面ファスナー９２を外し、この状態で、被写体を基部２に載置することができる。そして、その後に、被写体をエアバッグ本体３１で覆って、第２面ファスナー９２を第１面ファスナー９１に取り付けることで、被写体を挿入部８に挿入できる。従って、第２実施形態によれば、簡単に、被写体を挿入部８に挿入できる。
【００５０】
なお、本発明は上記実施形態に限定されるものではなく、本発明の目的を達成できる範囲での変形、改良等は本発明に含まれる。
例えば、上記実施形態では、エアバッグ部３の幅方向Ｘの両端部を基部２の幅方向Ｘの両端部に接続したが、これに限定されない。例えば、エアバッグ部３の幅方向Ｘの両端部は、基部２の幅方向Ｘの両端部でなく、基部２とエアバッグ部３との間に挿入部８を形成できれば、基部２のいずれの場所に接続してもよい。また、エアバッグ部３の幅方向Ｘの両端部を基部２の幅方向Ｘの両端部において溶着により接続したが、これに限定されない。
【００５１】
また、上記実施形態では、エアバッグ部３を１つで構成したが、これに限定されない。例えば、エアバッグ部の幅方向の長さが異なるエアバッグ部を複数設けて、断面積の大きさに差がある１つの被写体を固定することも可能である。例えば、エアバッグ部の幅方向の長さが異なるエアバッグ部を２つ並べて配置することで、例えば、タコやカニなどにおいて、幅方向の長さの長いエアバッグ部で頭部を固定し、幅方向の長さの短いエアバッグ部で足を固定することができる。これにより、断面積の大きさに差がある１つの被写体を固定する場合に、被写体を安定して固定することができる。
【００５２】
また、上記実施形態では、空気供給部を電動式空気ポンプ装置により構成したが、これに限定されない。空気供給部を手動式の空気ポンプで構成してもよい。空気供給部を手動式の空気ポンプで構成する場合には、接続チューブ５の途中に圧力計を設けることで、エアバッグ部３の内部の圧力値を監視しながら、手動式の空気ポンプにおいてエアバッグ部３の内部に送る空気の量を調整する。これにより、エアバッグ部３の内部の圧力値を設定することができる。
【００５３】
また、上記実施形態では、電動式空気ポンプ装置４を接続チューブ５を介して間接的にエアバッグ部３に接続したが、これに限定されず、電動式空気ポンプ装置４を直接的にエアバッグ部３に接続してもよい。
【００５４】
また、上記実施形態では、基部２を、基板２１と、基板２１を収容する収容袋体２２と、で構成したが、これに限定されず、基部２を、基板２１のみで構成してもよい。この場合には、エアバッグ部３の両端部を基板２１に直接接続すればよい。
【００５５】
また、上記実施形態では、被写体として、主に、人の手を例に説明したが、これに限定されない。前述したように、被写体としては、人の手や足や胴体や、小動物（犬、猫などのペット）などでもよい。特に、被写体が、じっとしていないで動くことが多い子供（子供の手や足）や小動物の場合には、基部２とエアバッグ本体３１との間の挿入部８おいて安定して被写体を固定することができるため、本発明は効果的である。
【符号の説明】
【００５６】
１  被写体固定器具
２  基部
３  エアバッグ部
４  電動式空気ポンプ装置（空気供給部）
８  挿入部
１１  着脱部
Ｘ  幅方向
Ｙ  挿入方向
【図１】
2017124041.tif 000003
【図２】
2017124041.tif 000004
【図３】
2017124041.tif 000005
【図４】
2017124041.tif 000006
【図５】
2017124041.tif 000007
【図６】
2017124041.tif 000008
【図７】
2017124041.tif 000009
【図８】
2017124041.tif 000010
【図９】
2017124041.tif 000011